(57)【要約】【課題】増幅器のような高電力素子に大きく依存せず、受信信号の相関信号に対する積分過程を行うことによって、消耗電力を減らすことができ、かつ高い感度及び効率を有する超低電力高効率無線デジタル受信器を提供する。【解決手段】本発明の超低電力高効率無線デジタル受信器は、送信器の変換コードと同一の内部相関コードを含み、受信信号(Ｓ１)と相関させ相関信号(Ｓ２)を生成するＳＡＷ相関器１２０と、前記ＳＡＷ相関器１２０からの相関信号(Ｓ２)を整流する整流器１４０と、前記整流器１４０によって整流された信号(Ｓ３)を積分して、前記整流器１４０からの信号(Ｓ３)に対する電圧を検出する積分器１５０と、前記積分器１５０による検出電圧(Ｖｄ２)と予め設定された基準電圧(Ｖｒｅｆ)を比較して、この比較結果に応じてデジタル信号(Ｄｏｕｔ)を出力する比較器１６０とを含む。【選択図】図２
2007028628.tif 000002
【特許請求の範囲】
【請求項１】
送信器の変換コードと同一の内部相関コードを含み、受信信号と内部相関コードを相関させて相関信号を生成するＳＡＷ相関器と、
前記ＳＡＷ相関器からの相関信号を整流する整流器と、
前記整流器によって整流された信号を積分して、前記整流器からの信号に対する電圧を検出する積分器と、
前記積分器による検出電圧と予め設定された基準電圧を比較し、この比較結果に応じてデジタル信号を出力する比較器と、
を含むことを特徴とする超低電力高効率無線デジタル受信器。
【請求項２】
前記ＳＡＷ相関器の前段に設置されて、アンテナからの信号を予め設定された利得に増幅して前記ＳＡＷ相関器に伝達するアイソレーション増幅器をさらに含むことを特徴とする請求項１に記載の超低電力高効率無線デジタル受信器。
【請求項３】
前記ＳＡＷ相関器からの相関信号を予め設定された利得に増幅するＲＦ増幅器をさらに含むことを特徴とする請求項１に記載の超低電力高効率無線デジタル受信器。
【請求項４】
前記積分器は、前記整流器によって整流された信号をクロック信号に応じて積分することを特徴とする請求項１に記載の超低電力高効率無線デジタル受信器。
【請求項５】
前記積分器は、クロック信号に応じて、前記整流器によって整流された信号があれば前記整流器によって整流された信号を充電し、前記整流器によって整流された信号がなければ前記充電により累積された信号を放電することを特徴とする請求項１に記載の超低電力高効率無線デジタル受信器。
【請求項６】
前記積分器は、出力端に、出力電圧の高周波成分を除去するリップル除去回路を含むことを特徴とする請求項１に記載の超低電力高効率無線デジタル受信器。 
【請求項７】
前記比較器は、前記基準電圧として２つのトリガレベルである第１及び第２基準電圧を含み、前記第１及び第２基準電圧を利用するヒステリシス特性を有するシュミットトリガから成ることを特徴とする請求項１に記載の超低電力高効率無線デジタル受信器。
【請求項８】
前記比較器は、前記検出電圧が第１基準電圧より高ければデジタル“１”信号を出力し、前記検出電圧が第２基準電圧より低ければデジタル“０”信号を出力することを特徴とする請求項７に記載の超低電力高効率無線デジタル受信器。
【発明の詳細な説明】
【技術分野】
【０００１】
本発明は、通信システムに適用される無線デジタル受信器に関するもので、特に増幅器のような高電力素子に大きく依存せず、受信信号の相関信号に対する積分過程を行うことにより、消耗電力を減らすことができ、高い感度及び効率を有する超低電力高効率無線デジタル受信器に関する。
【背景技術】
【０００２】
一般的に、移動通信システムにおいて電力消耗は最も重要な性能指標の一つであり、最近ユビキタスネットワークに対する関心が高まるにつれ、小型バッテリの寿命がまさにセンサなどのシステム寿命を意味するようになった。そのため、小型のバッテリーに対する研究及び開発は無限に継続されると予想される。
【０００３】
特に、ホームオートメーション及び工場自動化に適用される無線スイッチは、適用装置のオン／オフなどのように非常に簡単な動作制御に利用される。
【０００４】
このような無線スイッチの受信器を図１を参照して説明する。
【０００５】
図１は、従来の無線スイッチの受信器の構成図である。図１の無線スイッチの受信器は、アンテナ（ＡＮＴ）からの特定信号をＳＡＷ相関器１１にて検出し、前記ＳＡＷ相関器１１によって検出された信号中の特定信号はＬＣタンクによって選別された後、充電回路１２によって充電される。
【０００６】
また、臨界放電部１３は前記充電回路１２によって充電された電圧が臨界電圧以上であればオンとなって検出電圧を比較部１４にパスし、前記比較部１４は前記臨界放電部１３による検出電圧Ｖｄ１と予め備えられた基準電圧（Ｖｒｅｆ）を比較して、前記検出電圧（Ｖｄ１）が特定電圧（Ｖｒｅｆ）より大きくなる瞬間にスイッチ１５がターンオン（ｔｕｒｎ−ｏｎ）され前記充電された電圧を出力電圧で提供する。
【０００７】
このような従来の無線スイッチの受信器では、特定信号を選別し、選別された信号を十分な時間の間累積し、累積された電圧が基準電圧（Ｖｒｅｆ）以上となった際、スイッチを駆動する方式である。
【０００８】
ところが、このような従来方式では、理論的に無限大の時間積分すると、オフセット（ｏｆｆｓｅｔ）、デバイス不整合（ｄｅｖｉｃｅ  ｍｉｓｍａｔｃｈ）及び全ての種類の予測不可能な雑音などによって積分された電圧が基準電圧（Ｖｒｅｆ）を超える瞬間が発生するようになり、これによりスイッチが周期的にターンオン（ｔｕｒｎ−ｏｎ）される誤動作を起こす恐れがある。このような問題のため無線通信装置としての保安性が非常に脆弱であるという問題点がある。
【０００９】
また、従来の技術はこのように保存された信号から変換された電圧が基準電圧（Ｖｒｅｆ）を超えた以後には放電できるようになっているので、単にスイッチ動作以上の機能を実現することができない問題点があり、これにより一定のデータ速度（ｄａｔａ−ｒａｔｅ）を有する受信器としてその適用範囲が非常に制限されている問題点もある。
【発明の開示】
【発明が解決しようとする課題】
【００１０】
本発明は、上記した問題点を解決するために提案されたもので、その目的は通信システムに適用される無線デジタル受信器において、増幅器のような高電力素子に大きく依存せず、受信信号の相関信号に対する積分過程を行うことによって、消耗電力を減らすことができ、かつ高い感度及び効率を有する超低電力高効率無線デジタル受信器を提供することにある。
【課題を解決するための手段】
【００１１】
上記した本発明の目的を達成するために、本発明の超低電力高効率無線デジタル受信器は、送信器の変換コードと同一の内部相関コードを含み、受信信号と内部相関コードを相関させ相関信号を生成するＳＡＷ相関器と、前記ＳＡＷ相関器からの相関信号を整流する整流器と、前記整流器によって整流された信号を積分して、前記整流器からの信号に対する電圧を検出する積分器と、前記積分器による検出電圧と予め設定された基準電圧を比較し、この比較結果に応じてデジタル信号を出力する比較器とを含むことを特徴とする。
【００１２】
前記無線デジタル受信器は、前記ＳＡＷ相関器の前段に設置され、アンテナからの信号を予め設定された利得に増幅して前記ＳＡＷ相関器に伝達するアイソレーション増幅器をさらに含むことを特徴とする。
【００１３】
前記無線デジタル受信器は、前記ＳＡＷ相関器からの相関信号を予め設定された利得に増幅するＲＦ増幅器をさらに含むことを特徴とする。
【００１４】
前記積分器は、前記整流器によって整流された信号をクロック信号に応じて積分することを特徴とする。
【００１５】
前記積分器は、クロック信号に応じて、前記整流器によって整流された希望信号があれば前記整流器によって整流された信号を充電し、前記整流器によって整流された希望信号がなければ前記充電により累積された信号を放電することを特徴とする。
【００１６】
前記積分器は 、出力端に、出力電圧の高周波成分を除去するリップル除去回路を含むことを特徴とする。
【００１７】
前記比較器は、前記基準電圧に２つのトリガレベルである第１及び第２基準電圧を含み、前記第１及び第２基準電圧を利用するヒステリシス特性を有するシュミットトリガから成ることを特徴とする。
【００１８】
前記比較器は、前記検出電圧が第１基準電圧より高ければデジタル“１” （有効）信号を出力し、前記検出電圧が第２基準電圧より低ければデジタル“０”（無効）信号を出力することを特徴とする。
【００１９】
ここで、技術的な目的から、前記比較器の出力は前記検出信号が有効または無効であるか否かによって反対に成り得る。
【発明の効果】
【００２０】
本発明によれば、通信システムに適用される無線デジタル受信器において、増幅器のような高電力素子に大きく依存せず、クロック信号に応じて受信信号の相関信号に対する積分過程を行うことにより、消耗電力を減らすことができ、かつ高い感度及び効率を有する効果がある。
【００２１】
即ち、クロック信号による充電と放電を繰り返して行う本発明の積分過程により得られた電圧利得は、受信器全体がＲＦ増幅器に要求する電力利得の負担を減らすことができるので、この負担だけの受信器の消耗電力を大きく減らすことができる。また、このようなクロック信号による充放電動作が同期化に利用されることができ、別の同期化回路が必要でなく、また、雑音による充電値が閾値に達する前に放電されるので、雑音によるエラーアラーム（ｆａｕｌｔ ａｌａｒｍ）を防止できる。そして、相関信号の相関周期に比べて、データ速度（ｄａｔａ−ｒａｔｅ）が低いほどこの積分利得は大きくなるという長所がある。
【発明を実施するための最良の形態】
【００２２】
以下、本発明の好ましい実施形態を添付した図面を参照して詳しく説明する。本発明に参照された図面において実質的に同一の構成及び機能を有する構成要素は同一の符号を付す。
【００２３】
図２は本発明による低電力無線デジタル受信器の構成図である。図２を参照すると、本発明による低電力無線デジタル受信器は、アイソレーション増幅器１１０、ＳＡＷ相関器１２０、ＲＦ増幅器１３０、整流器１４０、積分器１５０及び比較器１６０を含む。
【００２４】
前記アイソレーション増幅器１１０は、アンテナ（ＡＮＴ）からの信号（Ｓ１）を予め設定された利得に増幅して前記ＳＡＷ相関器１２０に伝達する。
【００２５】
前記ＳＡＷ相関器１２０は、送信器の変換コードと同一の内部相関コードを含み、受信信号（Ｓ１）と相関させ複数の相関ピーク電圧を含む相関信号（Ｓ２）を前記ＲＦ増幅器１３０に伝達する。
【００２６】
前記ＲＦ増幅器１３０は、前記ＳＡＷ相関器１２０からの相関信号（Ｓ２）を予め設定された利得に増幅して前記整流器１４０に伝達する。前記増幅器は雑音に対する全体システムの耐性（ｓｕｓｃｅｐｔｉｂｉｌｉｔｙ）をかなり減らすことができる。
【００２７】
前記整流器１４０は、前記ＳＡＷ相関器１２０からの相関信号（Ｓ２）を整流して前記積分器１５０に伝達する。このような整流過程により、前記相関信号（Ｓ２）に含まれた複数の相関ピーク電圧は半波整流されて、基準レベル（例えば、零電圧）より高い相関ピーク電圧のみ残る。
【００２８】
前記積分器１５０は、クロック信号（ＳＣＬＫ）に応じて前記整流器１４０によって整流された信号(Ｓ３)を積分し、前記整流器１４０からの信号（Ｓ３）に対する電圧を検出して前記比較器１６０に伝達する。
【００２９】
例えば、前記積分器１５０は、前記クロック信号（ＳＣＬＫ）に応じて前記整流器１４０によって整流された信号（Ｓ３）があれば前記整流器１４０によって整流された信号（Ｓ３）を累積（充電）し、前記整流器１４０によって整流された信号（Ｓ３）がなければ前記累積された信号を放電する。このような累積は所望の信号ではないからである。
【００３０】
一方、前記積分器１５０は、出力端に、出力電圧の高周波成分を除去するリップル除去回路を含むことができる。
【００３１】
前記比較器１６０は、前記積分器１５０による検出電圧（Ｖｄ２）と予め設定された基準電圧（Ｖｒｅｆ）を比較し、この比較結果に応じてデジタル信号（Ｄｏｕｔ）を出力する。
【００３２】
図３は図２の無線デジタル受信器の主要信号の波形図である。図３において、Ｓ２は前記ＳＡＷ相関器１２０にて出力されて略２５０個の相関ピーク電圧を含む相関信号であり、Ｓ３は前記整流器１４０にて出力される信号である。
【００３３】
図４は図２の積分器１５０の動作説明のための信号波形図である。図４において、Ｓ３０は前記積分器１５０に入力されるノイズが含まれない希望信号の波形であり、Ｓ３１は前記積分器１５０に入力されるノイズが含まれた希望信号の波形であり、ＳＣＬＫはクロック信号であり、Ｖｄ２は前記積分器１５０にて出力される電圧の波形であり、Ｖｄ１は従来無線スイッチの臨界放電部１３によって検出された検出電圧である。
【００３４】
図５は、図２の積分器１５０及び比較器１６０の動作特性を示すグラフである。図５において、ＳＣＬＫは本発明の無線デジタル受信器のクロック信号であり、Ｖｄ２は前記積分器１５０にて出力される検出電圧であり、Ｖｒｅｆは前記比較器１６０の基準電圧である。そして、Ｄｏｕｔは前記比較器１６０の出力信号である。ＣＷは充電波形で、ＤＷは放電波形である。
【００３５】
図２乃至図６を参照すると、前記比較器１６０は、前記基準電圧（Ｖｒｅｆ）に２つのトリガレベルである第１基準電圧（Ｖｒｅｆ１）及び第２基準電圧（Ｖｒｅｆ２）を含み、前記第１基準電圧（Ｖｒｅｆ１）及び第２基準電圧（Ｖｒｅｆ２）を利用するヒステリシス特性を有するシュミットトリガ（ｓｃｈｍｉｔｔ ｔｒｉｇｅｒ）から成る。
【００３６】
また、前記比較器１６０は、前記検出電圧（Ｖｄ２）が第１基準電圧（Ｖｒｅｆ１）より高ければデジタル“１”信号を出力し、前記検出電圧（Ｖｄ２）が第２基準電圧（Ｖｒｅｆ２）より低ければデジタル“０”信号を出力するように成る。
【００３７】
図６は、図２の比較器の他の動作特性を示すグラフである。図６において、縦軸は出力電圧（ｍＶ）で、横軸は電圧（Ｖ）であり、＋６００［ｍＶ］は出力電圧のハイレベルであるデジタル“１”信号に該当し、−６００［ｍＶ］は出力電圧のローレベルであるデジタル“０”信号に該当する。Ｇ１は検出電圧（Ｖｄ２）が増加される間に表れる出力特性であり、Ｇ２は検出電圧（Ｖｄ２）が減少する間に表れる出力特性である。即ち、検出電圧（Ｖｄ２）が上昇するＧ１の過程では、Ｖｄ２＞Ｖｒｅｆ２になる前まで出力電圧はＶ−ｌｏｗを維持し、その反対に、検出電圧（Ｖｄ２）が減少するＧ２の過程では、Ｖｄ２＜Ｖｒｅｆ１になる前まで出力電圧はＶ−ｈｉｇｈを維持する。このような特性により、熱雑音やスイッチング雑音によって瞬間的に発生する電圧の増加または減少が出力値に影響を与えることを防止することができる。これによって、低域通過濾波器（Ｌｏｗ ｐａｓｓ ｆｉｌｔｅｒ）のような追加的な素子が不要である。
【００３８】
そして、図７は本発明の無線デジタル受信器の動作フローチャートである。
【００３９】
以下、本発明の作用及び効果を添付した図面を参照して詳しく説明する。
【００４０】
図２乃至図７を参照して本発明の無線デジタル受信器の動作を説明すると、本発明の無線デジタル受信器のアイソレーション増幅器１１０は、アンテナ（ＡＮＴ）からの信号（Ｓ１）を予め設定された利得に増幅してＳＡＷ相関器１２０に伝達する（図７のステップＳ１１０）。ここで、前記アンテナ（ＡＮＴ）から受信される信号は、該当送信器において変換コードによってコーディングされた信号である。
【００４１】
次に、前記ＳＡＷ相関器１２０は、前記アイソレーション増幅器１１０を通した受信信号（Ｓ１）を内部の相関コードによって相関させ、複数の相関ピーク電圧を含む相関信号（Ｓ２）をＲＦ増幅器１３０に伝達する（図７のステップＳ１２０）。
【００４２】
これについて、図２及び図３を参照して説明すると、前記ＳＡＷ相関器１２０は、前記アンテナ（ＡＮＴ）を通して受信されたＲＦ信号が内部の相関コードと同一の変換コードを有する送信器から受信された信号である場合には、図３に示すように高いレベルを有する信号が出力される。この際、前記相関信号は相関周期だけの時間間隔（例えば、４００ｎｓ）で無数の相関ピーク電圧（ｐｅａｋ ｖｏｌｔａｇｅ）（例えば、一つの相関周期内２５０個のピーク電圧含み）を含む。
【００４３】
これに反して、前記アンテナ（ＡＮＴ）を通して受信されたＲＦ信号が内部の相関コードと異なる変換コードを有する送信器から受信された信号である場合には、前記ＳＡＷ相関器１２０は、低いレベル（略０レベル）の信号が出力される。ここで、前記ＳＡＷ相関器１２０はＳＡＷマッチドフィルタ（ｍａｔｃｈｅｄ ｆｉｌｔｅｒ）を利用して実現することができる。
【００４４】
次に、前記ＲＦ増幅器１３０は、前記ＳＡＷ相関器１２０からの相関信号（Ｓ２）を予め設定された利得に増幅して整流器１４０に出力する（図７のステップＳ１３０）。前記整流器１４０は、前記ＳＡＷ相関器１２０からの相関信号（Ｓ２）を整流して図３に示すように整流された信号（Ｓ３）を積分器１５０に出力する（図７のステップＳ１４０）。
【００４５】
次に、前記積分器１５０は、前記整流器１４０によって整流された信号（Ｓ３）を積分し、前記整流器１４０からの信号（Ｓ３）に対する電圧を検出して比較器１６０に出力する（図７のステップＳ１５０）。即ち、前記積分器１５０は相関周期だけの時間間隔（例えば、４００ｎｓ）で無数の相関ピーク電圧を含む相関信号を積分する。
【００４６】
ここで、図４を参照して本発明の積分器１５０に対する動作を説明する。図４において、前記積分器１５０に入力される信号に雑音が含まれていない場合には“Ｓ３０”のような波形になるが、通常信号には雑音が含まれるため前記積分器１５０に入力される信号は“Ｓ３１”のような波形になる。
【００４７】
前記積分器１５０は、図４に示す“Ｓ３１”のような波形信号の入力を受けると、前記クロック信号（ＳＣＬＫ）に応じて充電と放電を繰り返す。具体的には、前記積分器１５０は前記クロック信号（ＳＣＬＫ）のローレベルでは充電し、ハイレベルでは放電する動作を行い、前記積分器１５０は図４の“Ｖｄ２”のような波形を有する電圧を出力する。
【００４８】
前述したように、前記積分器１５０では前記クロック信号（ＳＣＬＫ）に応じて充電と放電を繰り返すので、信号に雑音が含まれていても雑音が継続的に充電されることなく前記クロック信号（ＳＣＬＫ）に応じて一定周期に雑音による充電値が閾値に達する前に放電されるので、エラーアラーム（ｆａｕｌｓｅ ａｌａｒｍ）は防止される。
【００４９】
しかし、図４の“Ｖｄ１”に示すように従来無線スイッチは、信号に含まれた雑音が継続して充電されてエラーアラーム（ｆａｕｌｔ ａｌａｒｍ）を発生させる。これに対し、本発明の低電力無線デジタル受信器ではエラーアラームの発生を防止することができる。
【００５０】
これについて、図２乃至図５を参照して説明すると、前記積分器１５０は受信器のクロック信号(ＳＣＬＫ)に応じて充電及び放電を繰り返す。
【００５１】
例えば、前記積分器１５０は、略１０ｋｂｐｓ（１００ｕｓ）のデータ速度（ｄａｔａ−ｒａｔｅ）で積分動作を行って、前記整流器１４０によって整流された信号（Ｓ３）があれば前記整流器１４０によって整流された信号（Ｓ３）を、図５に示した充電波形（ＣＷ）のように段階的に充電する。この際、充電電圧は段階的にレベルが上昇される。
【００５２】
これと異なり、前記整流器１４０によって整流された信号（Ｓ３）がなければ図５に示した放電波形（ＤＷ）のように前記充電レベルが基準電圧（Ｖｅｒｆ）を超える前に前記充電された電圧を速かに放電する。
【００５３】
一方、前記積分器１５０は出力端にリップル除去回路を含む場合、前記充電された信号を比較器１６０に入力させる前に高周波成分を除去して相関特性と積分器特性によって荒れた成分を減らすことができ、これはいきなり大きい雑音によってデータが損失されることを防ぐ。このようなリップル除去回路はローパスフィルタ（Ｌｏｗ Ｐａｓｓ Ｆｉｌｔｅｒ）からも成り得る。
【００５４】
次に、前記比較器１６０は、前記積分器１５０による検出電圧（Ｖｄ２）と予め設定された基準電圧（Ｖｒｅｆ）を比較して、この比較結果に応じてデジタル信号（Ｄｏｕｔ）を出力する（図７のステップＳ１６０）。
【００５５】
これについて図２乃至図５を参照して説明すると、前記比較器１６０は、図５に示すように、前記検出電圧（Ｖｄ２）が基準電圧（Ｖｒｅｆ）より高ければデジタル“１”信号を出力し（図７のステップＳ１７０）、前記検出電圧（Ｖｄ２）が基準電圧（Ｖｒｅｆ）より低ければデジタル“０”信号を出力する（図７のステップＳ１８０）。
【００５６】
この際、前記比較器１６０はヒステリシス（ｈｙｓｔｅｒｅｓｉｓ）特性を有するシュミットトリガで実現できる。例えば、図２乃至図６を参照して説明すると、前記比較器１６０は、前記基準電圧（Ｖｒｅｆ）に２つのトリガレベルである第１及び第２基準電圧（Ｖｒｅｆ１、Ｖｒｅｆ２）を含み、前記第１及び第２基準電圧（Ｖｒｅｆ１、Ｖｒｅｆ２）を利用するヒステリシス特性を有するシュミットトリガ（ｓｃｈｍｉｔｔ ｔｒｉｇｅｒ）から成ることができるが、この場合、前記比較器１６０は、前記検出電圧（Ｖｄ２）が第１基準電圧（Ｖｒｅｆ１）より高ければデジタル“１”信号を出力する。
【００５７】
これと異なり、前記検出電圧（Ｖｄ２）が第２基準電圧（Ｖｒｅｆ２）より低ければデジタル“０”信号を出力する。このようなシュミットトリガを利用すると、シュミットトリガのヒステリシスの正帰還法を使用して、入力側に現われる雑音電圧は出力側に誤差を引き起こすため比較器が雑音に鈍感に作用する。
【００５８】
このように、前記比較器が特定レベル以上の信号“１”とその以下“０”の信号に区分してデジタル信号を出力するので、本発明の無線デジタル受信器を利用すると、デジタル通信を行うことができる。このような過程は、適用システムが終了する前まで繰り返して行われる（図７のステップＳ１９０）。
【００５９】
前述したような本発明は、積分器が単に積分だけをするのではなく周期的に充電（ｃｈａｒｇｉｎｇ）と放電（ｄｉｓｃｈａｒｇｉｎｇ）ができる回路であって、所望の通信データ速度（ｄａｔａ−ｒａｔｅ）を自由に設定できる。即ち、受信器が単純なスイッチングの動作だけではなく、データ通信が可能であり、この通信システムのデータ速度はＳＡＷ相関器の相関（ｃｏｒｒｅｌａｔｉｏｎ）特性と積分器のバンド幅（ｂａｎｄｗｉｄｔｈ）と密接な関連があり、通信方式はＯＯＫ（ｏｎ−ｏｆｆ ｋｅｙｉｎｇ）方式に限るが、受信器の構造が単純なだけ効率的で、かつ極小電力の消耗だけでシステムの駆動が可能である大きな利点がある。
【００６０】
以上で説明した本発明は、前述した実施形態及び添付された図面によって限定されるものではなく特許請求範囲によって限定され、本発明の装置は本発明の技術的思想を外れない範囲内において様々に置換、変形及び変更が可能であることが、本発明が属する技術分野において通常の知識を有する者にとって明らかである。
【図面の簡単な説明】
【００６１】
【図１】従来の無線スイッチの構成図である。
【図２】本発明による低電力無線デジタル受信器の構成図である。
【図３】図２の無線デジタル受信器の主要信号の波形図である。
【図４】図２の積分器の動作説明のための信号波形図である。
【図５】図２の積分器及び比較器の動作特性を示すグラフである。
【図６】図２の比較器の他の動作特性を示すグラフである。
【図７】本発明の無線デジタル受信器の動作フローチャートである。
【符号の説明】
【００６２】
１１０    アイソレーション増幅器 
１２０    ＳＡＷ相関器
１４０    整流器 
１５０    積分器
１６０    比較器 
ＡＮＴ    アンテナ
Ｓ１      受信信号 
Ｓ２      相関信号
Ｓ３      整流された信号 
Ｖｄ２    検出電圧
Ｖｒｅｆ  基準電圧 
Ｖｒｅｆ１  第１基準電圧
Ｖｒｅｆ２  第２基準電圧
Ｄｏｕｔ  デジタル信号
【図１】
2007028628.tif 000003
【図２】
2007028628.tif 000004
【図３】
2007028628.tif 000005
【図４】
2007028628.tif 000006
【図５】
2007028628.tif 000007
【図６】
2007028628.tif 000008
【図７】
2007028628.tif 000009